【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
所望の圧縮点において電力増幅器の各所望の出力電圧値に関する前記電力増幅器のバイアス電圧値と入力電圧値を計算することと、
前記電力増幅器を含む無線周波数（ＲＦ）装置を前記計算された入力およびバイアス電圧値に基づいて較正することと
を具備する方法。
【請求項２】
較正することは、
前記電力増幅器に伝えられた複数のバイアス電圧および入力電圧において前記電力増幅器によって伝えられた複数の同相および直交（ＩＱ）のサンプルを検知することと、
前記複数の検知されたＩＱサンプルから複数の振幅変調‐振幅変調（ＡＭ‐ＡＭ）曲線を生成することと、
１つまたは複数の電力増幅器制御技術に関する各曲線上の前記所望の圧縮点に基づいて前記入力電圧、前記バイアス電圧および前記出力電圧の間の関係を決定することと、
前記入力電圧、前記バイアス電圧および前記出力電圧のうちの１つに関する既知値に基づいて、前記ターゲット圧縮点に到達するように、前記入力電圧、前記バイアス電圧および前記出力電圧のうち２つを、前記関係に基づいて、決定することとを具備する請求項１に記載の方法。
【請求項３】
各ＡＭ‐ＡＭ曲線に関するターゲット圧縮における線にわたって直線的にスケーリングすることに基づいて追加的なＡＭ‐ＡＭ曲線を生成することをさらに具備する請求項２に記載の方法。
【請求項４】
前記関係に基づいて決定することは、所望の出力電圧に基づいて前記所望の圧縮点に到達するように前記バイアス電圧および前記入力電圧を決定することを具備する請求項２に記載の方法。
【請求項５】
関係を決定することは、１つまたは複数の電力増幅器制御技術に関する各曲線上の前記所望の圧縮点に基づいて前記入力電圧、前記バイアス電圧および前記出力電圧の間の関係を決定することを具備する請求項２に記載の方法。
【請求項６】
関係を決定することは、前記入力電圧、前記出力電圧および前記バイアス電圧に関係する前記複数のＡＭ‐ＡＭ曲線を含む３次元のプロットを生成することを具備し、ここにおいて各曲線は所望の圧縮点を含む請求項２に記載の方法。
【請求項７】
デジタルプレディストーション（ＤＰＤ）値を前記電力増幅器の前記入力電圧に適用することと、前記ＤＰＤ値を適用した後に前記出力電圧の値を測定することとをさらに具備する請求項１に記載の方法。
【請求項８】
同相および直交（ＩＱ）のサンプルに基づいて前記ＤＰＤ値を計算することをさらに具備する請求項７に記載の方法。
【請求項９】
前記ＤＰＤ値を計算することは、振幅変調‐振幅変調（ＡＭ‐ＡＭ）値および振幅変調‐位相変調（ＡＭ‐ＰＭ）値を計算することを具備する請求項８に記載の方法。
【請求項１０】
所望の圧縮点において電力増幅器の各所望の出力電圧値に関する前記電力増幅器のバイアス電圧値と入力電圧値を計算するための手段と、
前記電力増幅器を含む無線周波数（ＲＦ）装置を前記計算された入力およびバイアス電圧値に基づいて較正するための手段と
を具備する装置。
【請求項１１】
前記較正するための手段は、
前記電力増幅器に伝えられた複数のバイアス電圧および入力電圧において前記電力増幅器によって伝えられた複数の同相および直交（ＩＱ）のサンプルを検知するための手段と、
前記複数の検知されたＩＱサンプルから複数の振幅変調‐振幅変調（ＡＭ‐ＡＭ）曲線を生成するための手段と、
１つまたは複数の電力増幅器制御技術に関する各曲線上の前記所望の圧縮点に基づいて前記入力電圧、前記バイアス電圧および前記出力電圧の間の関係を決定するための手段と、
前記入力電圧、前記バイアス電圧および前記出力電圧のうちの１つに関する既知値に基づいて、前記ターゲット圧縮点に到達するように、前記入力電圧、前記バイアス電圧および前記出力電圧のうち２つを、前記関係に基づいて、決定するための手段とを具備する請求項１０に記載の装置。
【請求項１２】
各ＡＭ‐ＡＭ曲線に関するターゲット圧縮における線にわたって直線的にスケーリングすることに基づいて追加的なＡＭ‐ＡＭ曲線を生成するための手段をさらに具備する請求項１１に記載の装置。
【請求項１３】
前記関係に基づいて決定するための手段は、所望の出力電圧に基づいて前記所望の圧縮点に到達するように前記バイアス電圧および前記入力電圧を決定するように構成された、請求項１１に記載の装置。
【請求項１４】
前記関係を決定するための手段は、１つまたは複数の電力増幅器制御技術に関する各曲線上の前記所望の圧縮点に基づいて前記入力電圧、前記バイアス電圧および前記出力電圧の間の関係を決定するように構成され、および／または前記関係を決定するための手段は、前記入力電圧、前記バイアス電圧および前記出力電圧に関係する前記複数のＡＭ‐ＡＭ曲線を含む３次元のプロットを生成するように構成され、ここにおいて各曲線は所望の圧縮点を含む請求項１１に記載の装置。
【請求項１５】
コンピュータによって実行されたときに請求項１〜９のいずれか一項に記載の方法を前記コンピュータに実行させる命令を備えるコンピュータ可読媒体。
【手続補正２】
【補正対象書類名】明細書
【補正対象項目名】００４１
【補正方法】変更
【補正の内容】
【００４１】
[0047]開示された例証的な実施形態の先の説明は、いかなる当業者であっても、本発明の製造または使用を可能にするよう提供される。これらの例証的な実施形態に対する様々な修正は、当業者には容易に明らかとなり、本明細書において定義された包括的な原理は、本発明の精神または範囲から逸脱することなく他の実施形態に適用されうる。したがって、本発明は、本明細書において示された例証的な実施形態に限定されるよう意図されず、本明細書において開示された原理および新規の特徴と一致する最も広い範囲が付与されるべきである。
以下に、本願出願の当初の特許請求の範囲に記載された発明を付記する。
［Ｃ１］
所望の圧縮点において電力増幅器の各所望の出力電圧値に関する前記電力増幅器のバイアス電圧値と入力電圧値を計算することと、
前記電力増幅器を含む無線周波数（ＲＦ）装置を前記計算された入力およびバイアス電圧値に基づいて較正することと
を具備する方法。
［Ｃ２］
較正することは、
前記電力増幅器に伝えられた複数のバイアス電圧および入力電圧において前記電力増幅器によって伝えられた複数の同相および直交（ＩＱ）のサンプルを検知することと、
前記複数の検知されたＩＱサンプルから複数の振幅変調ー振幅変調（ＡＭ‐ＡＭ）曲線を生成することと、
１つまたは複数の電力増幅器制御技術に関する各曲線上の前記所望の圧縮点に基づいて前記入力電圧、前記バイアス電圧および前記出力電圧の間の関係を決定することと、
前記入力電圧、前記バイアス電圧および前記出力電圧の１つに関する既知値に基づく前記ターゲット圧縮点に到達するように、前記入力電圧、前記バイアス電圧および前記出力電圧のうち２つを、前記関係に基づいて、決定することとを具備するＣ１に記載の方法。
［Ｃ３］
各ＡＭ‐ＡＭ曲線に関するターゲット圧縮における線にわたって直線的にスケーリングすることに基づいて追加的なＡＭ‐ＡＭ曲線を生成することをさらに具備するＣ２に記載の方法。
［Ｃ４］
前記関係に基づいて決定することは、所望の出力電圧に基づいて前記所望の圧縮点に到達するように前記バイアス電圧および前記入力電圧を決定することを具備するＣ２に記載の方法。
［Ｃ５］
関係を決定することは、１つまたは複数の電力増幅器制御技術に関する各曲線上の前記所望の圧縮点に基づいて前記入力電圧、前記バイアス電圧および前記出力電圧の間の関係を決定することを具備するＣ２に記載の方法。
［Ｃ６］
関係を決定することは、前記入力電圧、前記バイアス電圧および前記出力電圧に関係する前記複数のＡＭ‐ＡＭ曲線を含む３次元のプロットを生成することを具備し、ここにおいて各曲線は所望の圧縮点を含むＣ２に記載の方法。
［Ｃ７］
デジタルプレディストーション（ＤＰＤ）値を前記電力増幅器の前記入力電圧に適用することと、前記ＤＰＤ値を適用した後に前記出力電圧の値を測定することとをさらに具備するＣ１に記載の方法。
［Ｃ８］
同相および直交（ＩＱ）のサンプルに基づいて前記ＤＰＤ値を計算することをさらに具備するＣ７に記載の方法。
［Ｃ９］
前記ＤＰＤ値を計算することは、振幅変調ー振幅変調（ＡＭ‐ＡＭ）値および振幅変調ー位相変調（ＡＭ‐ＰＭ）値を計算することを具備するＣ８に記載の方法。
［Ｃ１０］
電力増幅器に伝えられた複数のバイアス電圧および入力電圧において前記電力増幅器によって伝えられた複数の同相および直交（ＩＱ）のサンプルを検知することと、
前記複数の検知されたＩＱサンプルから複数の振幅ー振幅（ＡＭ‐ＡＭ）曲線を生成することと、
各電力増幅器制御技術に関して、前記入力電圧、前記バイアス電圧および出力電圧の間の関係を各曲線上のターゲット圧縮点に基づいて決定することと、
前記入力電圧、前記バイアス電圧および前記出力電圧の１つに関する既知値に基づく前記ターゲット圧縮点に到達するように、前記入力電圧、前記バイアス電圧および前記出力電圧のうち２つを、前記関係に基づいて、決定することと
を具備する方法。
［Ｃ１１］
前記関係に基づいて決定することは、記出力電圧の所望の値に基づいて前記ターゲット圧縮点に到達するように前記バイアス電圧および入力電圧を決定することを具備するＣ１０に記載の方法。
［Ｃ１２］
関係を決定することは、前記入力電圧、前記バイアス電圧および前記出力電圧に関係する前記複数のＡＭ‐ＡＭ曲線を含む３次元のプロットを生成することを具備し、ここにおいて各曲線はターゲット圧縮点を含むＣ１０に記載の方法。
［Ｃ１３］
関係を決定することは、１つまたは複数の電力増幅器制御技術に関する各曲線上のターゲット圧縮点に基づいて、前記入力電圧、前記バイアス電圧および前記出力電圧の間の関係を決定することを具備するＣ１０に記載の方法。
［Ｃ１４］
各ＡＭ‐ＡＭ曲線に関するターゲット圧縮を含む線にわたって直線的にスケーリングすることに基づいて追加的なＡＭ‐ＡＭ曲線を生成することをさらに具備するＣ１０に記載の方法。
［Ｃ１５］
前記関係に関係したデータを格納することをさらに具備するＣ１０に記載の方法。
［Ｃ１６］
前記入力電圧および前記バイアス電圧のうち少なくとも１つを前記関係に基づいて調節して前記ターゲット圧縮値において所望の出力電圧を生成することをさらに具備するＣ１０に記載の方法。
［Ｃ１７］
入力電圧およびバイアス電圧を受信し、出力電圧を伝えるように構成される電力増幅器と、
前記電力増幅器の出力に結合され、
前記電力増幅器に伝えられた複数の入力電圧およびバイアス電圧において前記電力増幅器によって伝えられた複数の同相および直交（ＩＱ）のサンプルを検知することと、
前記複数の検知されたＩＱサンプルから複数の振幅変調ー振幅変調（ＡＭ‐ＡＭ）曲線を生成することと、
各電力増幅器制御技術に関する各曲線上の前記ターゲット圧縮点に基づいて、前記入力電圧、バイアス電圧および前記出力電圧の間の関係を決定することと、
前記入力電圧、前記バイアス電圧および前記出力電圧の１つに関する既知値に基づく前記ターゲット圧縮点に到達するように、前記入力電圧、前記バイアス電圧および前記出力電圧のうち２つを、前記関係に基づいて、決定すること、
を行うように構成されるプロセッサと
を具備する装置。
［Ｃ１８］
前記プロセッサは、各ＡＭ‐ＡＭ曲線に関するターゲット圧縮を含む線にわたって直線的にスケーリングすることに基づいて追加的なＡＭ‐ＡＭ曲線を生成するようにさらに構成されるＣ１７に記載の装置。
［Ｃ１９］
前記プロセッサは、複数の出力電圧のうち各所望の出力電圧におけるターゲット圧縮点に関する入力電圧およびバイアス電圧を決定するようにさらに構成されるＣ１７に記載の装置。
［Ｃ２０］
前記プロセッサは、前記入力電圧および前記バイアス電圧のうち１つを制御するための１つまたは複数の制御信号を伝えるように構成されるＣ１７に記載の装置。
［Ｃ２１］
前記プロセッサは前記関係に関係した情報を格納するためのメモリを具備するＣ１７に記載の装置。
［Ｃ２２］
前記プロセッサは前記ＩＱサンプルに基づいてデジタルプレディストーション（ＤＰＤ）値を計算するようにさらに構成されるＣ１７に記載の装置。
［Ｃ２３］
前記プロセッサは振幅変調ー振幅変調（ＡＭ‐ＡＭ）値および振幅変調ー位相変調（ＡＭ‐ＰＭ）値を計算して前記ＤＰＤ値を計算するように構成されるＣ２２に記載の装置。
［Ｃ２４］
前記入力電圧および前記バイアス電圧のうち少なくとも１つを前記関係に基づいて調節して前記ターゲット圧縮点において所望の出力電圧を生成するようにさらに構成されるＣ１７に記載の装置。
［Ｃ２５］
電力増幅器の各所望の出力電圧値に関して前記電力増幅器のバイアス電圧値と入力電圧値を計算して所望の圧縮点を生成することによって無線周波数（ＲＦ）装置を較正するための手段と、
デジタルプレディストーション（ＤＰＤ）値を前記電力増幅器の前記入力電圧に適用するための手段と、
前記ＤＰＤ値を適用した後に前記出力電圧の値を測定するための手段と
を具備する装置。
［Ｃ２６］
電力増幅器に伝えられた複数のバイアス電圧および入力電圧において前記電力増幅器によって伝えられた複数の同相および直交（ＩＱ）のサンプルを検知するための手段と、
前記複数の検知されたＩＱサンプルから複数の振幅ー振幅（ＡＭ‐ＡＭ）曲線を生成するための手段と、
各電力増幅器制御技術に関する各曲線上のターゲット圧縮点に基づいて、前記入力電圧、前記バイアス電圧および出力電圧の間の関係を決定するための手段と、
前記入力電圧、前記バイアス電圧および前記出力電圧の１つに対する既知値に基づく前記ターゲット圧縮点に到達するように、前記入力電圧、前記バイアス電圧および前記出力電圧のうち２つを、前記関係に基づいて、決定するための手段と
を具備する装置。